(57)【要約】【課題】携帯電子機器の小型・薄型化を図る。【解決手段】シートスイッチ３の第２のスイッチ実装部３２のみをフレーム２に貼り付け、これをフロントケース１の内側に組み込むことにより、シートスイッチ３の第２のスイッチ実装部３２を、サイド面１ｂのキーボタン６とフレーム２の第２面２ｂとに挟み込ませる。この状態のフロントケース１にリアカバー５を結合させるとき、フレーム２の第２面２ｂの端から突出している第２のスイッチ実装部３２の端面を、リアカバー５の面で押さえ込み、第２のスイッチ実装部３２のスイッチ３ｂをキーボタン６に対して位置決めする。【選択図】図２
2010183155.tif 000002
【特許請求の範囲】
【請求項１】
機器筐体の隣接したフロント面とサイド面にキーボタンを有する携帯電子機器であって、
前記フロント面と前記サイド面を持つフロントケースと、
該フロントケース内に組み付けられたシートスイッチであって前記フロント面に対向する第１のスイッチ実装部と前記サイド面に対向する第２のスイッチ実装部とを有しているシートスイッチと、
該シートスイッチを固定する台座となるフレームであって前記第１のスイッチ実装部に対応した第１面と前記第２のスイッチ実装部に対応した第２面とを持つフレームと、
前記フロントケースと結合されたリアカバーと、
を備え、
前記シートスイッチの前記第１のスイッチ実装部だけが前記フレームの前記第１面に貼り合せられており、
前記シートスイッチの前記第２のスイッチ実装部は、前記サイド面に配置されたキーボタンと前記フレームの前記第２面とに挟み込まれ、かつ、該第２のスイッチ実装部の端が該第２面の端から突出しており、
前記リアカバーで、前記第２面の端から突出している前記第２のスイッチ実装部の端が押さえ込まれたことによって、前記第２のスイッチ実装部が前記サイド面のキーボタンに対して位置決めされていることを特徴とする携帯電子機器。
【請求項２】
前記リアカバーが前記フロントケースの内側に嵌め込まれる凸形状を有し、該凸形状は、前記フレームの前記第１面と当接する当接部と、前記第２面の端から突出している前記第２のスイッチ実装部の端面を押さえ込む周縁部と、を有する、請求項１に記載の携帯電子機器。
【請求項３】
前記シートスイッチは、その上にスイッチが構成されたフレキシブル配線板を有するものであり、
該フレキシブル配線板は、前記第１のスイッチ実装部を構成するための第１部分と、前記第２のスイッチ実装部を構成するための第２部分と、からなり、前記第１部分と前記第２部分との間に前記フレキシブル配線板だけで形成した部分を設けることで、前記第１部分と前記第２部分の間の部分での折り曲げが可能となっている、請求項１または２に記載の携帯電子機器。
【請求項４】
機器筐体の隣接した２面にキーボタンを有する携帯電子機器において、機器筐体内に、各面のキーボタンに対応するシートスイッチを固定する方法であって、
キーボタンが配置されるフロント面とサイド面を持つフロントケースと、該フロントケース内に組み付けるシートスイッチであって前記フロント面に対向させる第１のスイッチ実装部と前記サイド面に対向させる第２のスイッチ実装部とを有するシートスイッチと、該シートスイッチを固定するためのフレームであって前記第１のスイッチ実装部に対応する第１面と前記第２のスイッチ実装部に対応する第２面とを有するフレームと、前記フロントケースと結合させるリアカバーと、を用意し、
前記サイド面に対応させる前記フレームの前記第２面には前記シートスイッチの前記第２のスイッチ実装部を貼り付けず、前記フロント面に対応させる前記フレームの前記第１面のみに、前記シートスイッチの前記第１のスイッチ実装部を貼り合わせる第一段階と、
前記第１のスイッチ実装部のみが貼り付けられた前記フレームを前記フロントケースの内側に組み込むことによって、前記シートスイッチの前記第２のスイッチ実装部を前記第１のスイッチ実装部に対して折り曲げつつ、前記フレームの前記第２面と前記サイド面に配置されたキーボタンとで前記第２のスイッチ実装部を挟み込む第二段階と、
前記フレームが組み込まれた前記フロントケースに前記リアカバーを結合させて、前記リアカバーで、前記フレームの前記第２面の端から突出している前記第２のスイッチ実装部の端を押さえ込むことによって、前記第２のスイッチ実装部を前記サイド面の前記キーボタンに対して位置決めする第三段階と、
を有する、携帯電子機器におけるシートスイッチの固定方法。
【発明の詳細な説明】
【技術分野】
【０００１】
本発明は、携帯電子機器の内部においてシートスイッチを固定する方法および構造に関する。
【背景技術】
【０００２】
携帯電話端末のような携帯電子機器では、機器筐体の小型・薄型化の為、キーボタンの厚みを薄くするだけでなく、キーボタンの押下で稼動させられる機器内のスイッチも、シートスイッチまたはメンブレンスイッチと呼ばれるようなシート状のものが使用されている。
【０００３】
シートスイッチは、フレキシブル配線板に接点パターンを形成するとともに、表面シートやベースシート等を貼り合わせて作製される。このようなシートスイッチは、各キーボタンに対して所定のスイッチ部分の位置が合うようにケース内に組み付けられている（特許文献１参照）。
【先行技術文献】
【特許文献】
【０００４】
【特許文献１】特開２００６−０１９３９０号公報
【発明の概要】
【発明が解決しようとする課題】
【０００５】
ところで最近の携帯電話端末は多機能化が進んで、カメラやテレビ等の機能が付加された機種がある。このような機器の多くは、機器の隣接したフロント面とサイド面にそれぞれキーボタンが配置されている。
【０００６】
このような２面にキーボタンを有する構成では、各面のキーボタンに対して夫々にシートスイッチを用意し、各キーボタンに対して各シートスイッチのスイッチ実装部の位置を正確に固定しなければならない。
【０００７】
さらに、フロント面とサイド面の両方に対してシートスイッチを固定する構造を用意するので、スイッチシートの台座に特別な固定構造を設ける必要が生じていた。
【０００８】
これらの事は機器筐体内に余剰な空き空間を必要とするので機器の小型・薄型化の妨げとなっていた。
【０００９】
本発明は、こうした背景技術の実情に鑑み、機器の小型・薄型化を図ることができる携帯電子機器を提供することを目的とする。
【課題を解決するための手段】
【００１０】
本発明は、機器筐体を構成する隣接したフロント面とサイド面にキーボタンを有する携帯電子機器である。
【００１１】
この携帯電子機器は、フロント面とサイド面を持つフロントケースと、該フロントケース内に組み付けられたシートスイッチと、該シートスイッチを固定する台座となるフレームと、フロントケースと結合されたリアカバーと、を有する。
【００１２】
シートスイッチは、フロント面に対向する第１のスイッチ実装部と、サイド面に対向する第２のスイッチ実装部と、を有している。さらに、フレームは、第１のスイッチ実装部に対応した第１面と、第２のスイッチ実装部に対応した第２面と、を有する。
【００１３】
シートスイッチの第１のスイッチ実装部だけがフレームの第１面に貼り合せられており、シートスイッチの第２のスイッチ実装部は、サイド面に配置されたキーボタンとフレームの第２面とに挟み込まれ、かつ、該第２のスイッチ実装部の端が該第２面の端から突出している。
【００１４】
そして、リアカバーで、上記第２面の端から突出している第２のスイッチ実装部の端が押さえ込まれたことによって、第２のスイッチ実装部がサイド面のキーボタンに対して位置決めされている。
【発明の効果】
【００１５】
本発明によれば、機器のフロント面およびサイド面のような２面にキーボタンを有する携帯電子機器において、機器内に各面のキーボタンに対してシートスイッチのスイッチ実装部の位置を固定するとき、機器内の余剰な空き空間を最小限にでき機器の小型・薄型化を図ることができる。
【図面の簡単な説明】
【００１６】
【図１】本発明の一実施例による携帯電子機器のフロントケース側を上にした状態で、機器内のフレキシブルケーブル固定構造を構成する要素を示した分解斜視図。
【図２】本発明の一実施例による携帯電子機器のリアカバー側を上にした状態で、機器内のフレキシブルケーブル固定構造を構成する要素を示した分解斜視図。
【図３】本発明の一実施例の携帯電子機器内の、フレキシブルケーブル固定構造を構成する要素を組み立てる前の構造を示す断面図。
【図４】本発明の一実施例の携帯電子機器内の、フレキシブルケーブル固定構造を構成する要素を組み立てた後の構造を示す断面図。
【図５】図４中の領域Ａを拡大した図。
【発明を実施するための形態】
【００１７】
次に、本発明の実施例について図１ないし図５を参照して説明する。
【００１８】
本実施例の携帯電子機器は、フロントケース１と、フロントケース１内に組み付けられるシートスイッチ３と、シートスイッチ３を固定する台座となるフレーム２と、フロントケース１と嵌合させられるリアカバー５と、を備える（図１ないし図３参照）。シートスイッチはメンブレンスイッチとも呼ばれる。
【００１９】
本発明では上記の構成要素が次のように組み合わせられている。
【００２０】
第一に、フロント面１ａに対応させるフレーム２の第１面２ａのみに、シートスイッチ３の第１のスイッチ実装部３１全体を両面テープで貼り合わせる。サイド面１ｂに対応させるフレーム２の第２面２ａにおいてはシートスイッチ３の第２のスイッチ実装部３２の貼り付けは行わない。
【００２１】
第二に、この状態のフレーム２をフロントケース１の内側に組み込む。これにより、シートスイッチ３の第２のスイッチ実装部３２が、サイド面１ｂのキーボタン６とフレーム２の第２面２ｂとに挟み込まれる。このとき、第２のスイッチ実装部３２は固定されてないので第２面２ａに沿って移動でき第２のスイッチ実装部３２の端がフレーム２の第２面２ｂの端から突出している。
【００２２】
最後に、この状態のフロントケース１にリアカバー５を結合させる。このとき、リアカバー５の面が、フレーム２の第２面２ｂの端から突出している第２のスイッチ実装部３２の端面を押さえ込み、第２のスイッチ実装部３２のスイッチ３ｂをキーボタン６に対して位置決めする（図４および図５参照）。
【００２３】
さらに詳細に、上記の各構成要素について説明する。
【００２４】
フロントケース１は、フロント面１ａと、該フロント面１ａに対して隣接して形成されたサイド面１ｂと、を有している。
【００２５】
該フロント面１ａは、多数の第１のスイッチ３ａを露出させるための開口１ｃを持つ。本例の図では第１のスイッチ３ａを稼動させるフロント面１ａのキーボタンは省略してある。
【００２６】
さらに、該サイド面１ｂは図１，２のように連続した４面からなり、対向する２面にそれぞれ、サイド面用のキーボタン６が配設されている。
【００２７】
シートスイッチ３は、図５に示すように、ベースシート７上に固定されたフレキシブル配線板（ＦＰＣＢ）４と、フレキシブル配線板４上に形成された導電性膜からなる接点パターン（図示せず）と、フレキシブル配線板４の接点パターン上に配置された弾性変形可能なメタルドーム（図示せず）と、メタルドームを覆う絶縁ゴムまたは絶縁樹脂製の表面シート８と、を含んで構成される。
【００２８】
該メタルドームがキーボタンに押されて変形し接点パターンと接触することで、２つの接点パターンがメタルドームを介して導通する。すなわち、接点パターンとメタルドームの部分でスイッチが構成されている。該スイッチの信号はフレキシブル配線板４の配線を通じて機器内の制御デバイス（図示せず）に伝達される。
【００２９】
上記シートスイッチ３の構成要素は一例であり、その上にスイッチが構成されたフレキシブル配線板を有するものであれば、如何なる構成要素からなるものでもよい。しかし外観形状においては、シートスイッチ３は、フロント面１ａ用の多数の第１のスイッチ３ａを実装している四角形の領域である第１のスイッチ実装部３１と、サイド面１ｂ用の第２のスイッチ３ｂを実装している領域である第２のスイッチ実装部３２と、を有している（図１および図２参照）。
【００３０】
このような形状のシートスイッチ３を作製するため、フレキシブル配線板４は、第１のスイッチ実装部３１を構成するための第１部分と、第２のスイッチ実装部３２を構成するための第２部分と、からなる。
【００３１】
該第２部分は、該第１部分の対向２辺の夫々から外側に連続して延びた部分であり、サイド面用のキーボタン６に配設できるように形成されている（図１および図２参照）。さらに、上記第１部分と第２部分との間に、ベースシート７や表面シート８を貼り合わせていない場所（すなわちフレキシブル配線板４だけで形成した場所）を設けることで、第１部分と第２部分との間での折り曲げが可能となっている（図５参照）。
【００３２】
こうした構成により、シートスイッチ３の第１のスイッチ実装部３１をフロント面１ａに配置した状態において、第２のスイッチ実装部３２を第１のスイッチ実装部３１に対して直角に折り曲げて、第２のスイッチ実装部３２の第２のスイッチ３ｂをサイド面１ｂのキーボタン６に対向させることができる。なお、第２のスイッチ３ｂはサイド面用のキーボタン６で稼動させられるスイッチである。
【００３３】
第１のスイッチ実装部３１の大きさはフロントケース１の内側に配置可能な大きさであり、かつ、フロントケース１の開口１ｃの縁よりも大きくしてある。
【００３４】
一方、フレーム２においては、フロントケース１のフロント面１ａに対面させる第１面２ａと、フロントケース１のキーボタン６が配置されたサイド面１ｂに対面させる第２面２ｂとが、折り曲げ加工によって形成されている。
【００３５】
フレーム２の第１面２ａに対してシートスイッチ３の第１のスイッチ実装部３１の面を両面テープで貼り付けることができるよう、第１面２ａの外周形状は、第１のスイッチ実装部３１の外周形状に相当する大きさを持つ。
【００３６】
さらに、フレーム２の第１面２ａの横幅は、キーボタン６が配設されているフロントケース１の対向する側壁間の距離よりも僅かに小さい。つまり、シートスイッチ３が貼り付けられたフレーム２を図４のようにフロントケース１内に組み付けたときに、キーボタン６が配設されているフロントケース１の側壁に対して、フレーム２の第２面２ｂが、出来る限り近くに配置されるようになっている。ここでいう「第１面２ａの横幅」とは、フロントケース１の対向する２つのサイド面１ｂの方向であってキーボタン６が配置されているサイド面１ｂの方向における幅Ｘをいう（図３参照）。
【００３７】
このような設計によれば、フレーム２の第１面２ａにシートスイッチ３の第１のスイッチ実装部３１の面を接着してからフレーム２をフロントケース１の内側に組み付けたとき、シートスイッチ３の第２のスイッチ実装部３２が、フレーム２の第２面２ｂに沿って折り返されてサイド面１ｂに対向しつつ、そのサイド面１ｂのキーボタン６とフレーム２の第２面２ｂとに挟まれて固定される。なお、第２のスイッチ実装部３２のスイッチ部分は作動しない程度（即ちメタルドームが変形しない程度）でキーボタン６とフレーム２の第２面２ｂに挟まれている。また、フレーム２の第２面２ｂに対してはシートスイッチ３の第２のスイッチ実装部３２を貼り付け固定していない。また、第２のスイッチ実装部３２の貼り付けを行わずサイド面１ｂのキーボタン６とフレーム２の第２面２ｂとでシートスイッチ３の第２のスイッチ実装部３２を挟み込んだだけの状態では、第２のスイッチ実装部３２は第２面２ａに沿って移動でき、図５のＢ部に示すように、第２のスイッチ実装部３２の端がフレーム２の第２面２ｂの端よりも突出している。
【００３８】
リアカバー５は、フロントケース１の側壁に爪などで引っ掛けて結合できる形状を持つ。さらに、リアカバー５の一部が、フロントケース１内側の、シートスイッチ３が配置される部分に嵌め込まれるように凸形状に張り出している。この凸形状は、周縁部５ａと、周縁部５ａに連続して形成された側壁部５ｂと、側壁部５ｂに略垂直に連続して形成された端面部５ｃと、からなる（図１ないし図３参照）。周縁部５ａは、キーボタン６が配置されたフロントケースの側壁１と結合される部分である。側壁部５ｂはフレーム２の第２面２ｂに対応する部分である。端面部５ｃはフレーム２の第１面２ａに対応する部分である。なお本実施例では、フレームの第１面２ａと接する端面部５ｃにリブを設けて剛性を高めている。
【００３９】
前述のようにサイド面１ｂのキーボタン６とフレーム２の第２面２ｂとでシートスイッチ３の第２のスイッチ実装部３２を挟み込んだ状態にして、リアカバー５をフロントケース１の内側に完全に嵌め込んだとき、図５のＢ部に示すように、フレーム２の第２面２ｂの端よりも突出している第２のスイッチ実装部３２の端が、リアカバー５の周縁部５ａの表面によって押さえ込まれ、第２のスイッチ実装部３２の位置が決まるようになっている。
【００４０】
以上説明したとおり、本発明は、フロント面１ａとサイド面１ｂのような２面に夫々設置されるキーボタンの位置に、一枚のシートスイッチ３によってスイッチを対応させることができるので、各面のキーボタンに対して、夫々、スイッチおよびフレキシブル配線板を用意する必要がない。
【００４１】
さらに、サイド面１ｂのキーボタン６に対向させるシートスイッチ３の第２のスイッチ実装部３２の位置決めを、フロントケース１に最後に組み付けられるリアカバー５の一部で実施したので、第２のスイッチ実装部３２を固定するための構造をフレーム２あるいはフロントケース１に設ける必要がない。
【００４２】
これらの事によって、機器内の空き空間を小さくして機器の小型・薄型化を図ることができる。
【符号の説明】
【００４３】
１    フロントケース
１ａ    フロント面
１ｂ    サイド面
１ｃ    開口
２    フレーム
２ａ    第１面
２ｂ    第２面
３    シートスイッチ
３ａ    第１のスイッチ
３ｂ    第２のスイッチ
３１    第１のスイッチ実装部
３２    第２のスイッチ実装部
４    フレキシブル配線板
５    リアカバー
５ａ    凸形状の周縁部
５ｂ    凸形状の側壁部
５ｃ    凸形状の端面部
６    サイド面用のキーボタン
７    ベースシート
８    表面シート
【図１】
2010183155.tif 000003
【図２】
2010183155.tif 000004
【図３】
2010183155.tif 000005
【図４】
2010183155.tif 000006
【図５】
2010183155.tif 000007